(57)【要約】      （修正有）【課題】手術台を診断機器に対して簡易かつ迅速に位置決めできる手術台位置決め装置を提供する。【解決手段】診断機器８に対する手術台位置決め装置であって、手術台１の基台２上にテーブル４が少なくとも一方向にスライド可能に支持され、基台２には手術室の床面Ｆを転動可能なキャスタ５と、手術台１を基台２ごと手術室の床面Ｆ上で昇降させる伸縮ロッド６とが装着され、手術室１の床面Ｆには、伸縮ロッド６の先端が嵌合しうる嵌合穴が形成され、手術台１をキャスタ５により床面Ｆ上の所定位置まで移動させたうえで伸縮ロッド６の先端を嵌合穴と嵌合させると、テーブル４が診断機器８の一定位置に向かってスライド可能となるようにした。【選択図】図１
2007301064.tif 000002
【特許請求の範囲】
【請求項１】
診断機器に対する手術台位置決め装置であって、手術台の基台上にテーブルが少なくとも一方向にスライド可能に支持され、上記基台には手術室の床面を転動可能なキャスタと、手術台を上記基台ごと手術室の床面上で昇降させる伸縮ロッドとが装着され、手術室の床面には、上記伸縮ロッドの先端が嵌合しうる嵌合穴が形成され、手術台を上記キャスタにより床面上の所定位置まで移動させたうえで上記伸縮ロッドの先端を上記嵌合穴と嵌合させると、上記テーブルが上記診断機器の一定位置に向かってスライド可能となるようにしたことを特徴とする手術台位置決め装置。
【請求項２】
請求項１に記載の手術台位置決め装置において、上記基台に少なくとも二つの直交する側壁が設けられ、手術室の床面には、上記基台の直交する側壁の角部に当たる角型当て部材と、側壁の平坦面に当たる平型当て部材とが着脱自在に固定され、上記基台の側壁を上記角型当て部材と上記平型当て部材とに当てたうえで上記伸縮ロッドの先端を上記嵌合穴と嵌合させるようにしたことを特徴とする手術台位置決め装置。
【請求項３】
請求項１又は請求項２に記載の位置決め装置において、上記伸縮ロッドが上記基台に複数基設けられ、上記嵌合穴が各伸縮ロッドに対応して手術室の床面に形成されたことを特徴とする手術台位置決め装置。
【請求項４】
請求項１乃至請求項３のいずれかに記載の位置決め装置において、上記嵌合穴が、手術室の床面に着脱自在に固定された固定盤に形成されたことを特徴とする手術台位置決め装置。
【請求項５】
請求項２に記載の位置決め装置において、上記角型当て部材又は上記平型当て部材が、手術室の床面に着脱自在に固定された固定部材に固着されたことを特徴とする手術台位置決め装置。
【請求項６】
請求項２に記載の位置決め装置において、上記角型当て部材又は上記平型当て部材が、手術室の床面に着脱自在に固定された固定部材に固着されると共に、上記嵌合穴が上記固定部材に形成されたことを特徴とする手術台位置決め装置。
【請求項７】
請求項１乃至請求項６のいずれかに記載の位置決め装置において、上記テーブルが上記診断機器の検査部又は上記診断機器のテーブルに向かってスライドしうるようにしたことを特徴とする手術台位置決め装置。
【発明の詳細な説明】
【技術分野】
【０００１】
本発明は、手術台をＭＲＩ装置、ＣＴ装置等の診断機器に対して手術台を精度良く連結するための手術台位置決め装置に関する。
【背景技術】
【０００２】
手術台をＭＲＩ装置、ＣＴ装置等の診断機器に対して高度の位置精度で連結したいとの要請がある。例えば、手術台上で頭蓋内の腫瘍摘出手術を行う場合、診断機器で腫瘍の除去具合等を必要に応じて随時確認しながら手術を進行するのが望ましい。
【０００３】
従来、そのような手術中での診断機器による検査を行うには、患者を乗せた手術台を診断機器の近くまで搬送し、手術台の患者を乗せたテーブルをスライドさせ、さらにそのテーブル上で患者の位置、姿勢等を調整しており、そのうえで初めて検査が開始されることとなる。
【発明の開示】
【発明が解決しようとする課題】
【０００４】
従来の位置決め方法は、作業者の大まかな目分量により診断機器に対する手術台の位置決めが行われるので、位置決め誤差が大きくなる可能性があり、場合によっては手術台の位置決めをやり直す必要が発生する。このため、診断機器による検査に手間と時間を必要とし、また手術もそれだけ遅延するという問題がある。
【０００５】
したがって、本発明は上記不具合を解消することができる手術台位置決め装置を提供することを目的とする。
【課題を解決するための手段】
【０００６】
上記課題を解決するため、本発明は次のような構成を採用する。
【０００７】
すなわち、請求項１に係る発明は、診断機器（８）に対する手術台位置決め装置であって、手術台（１）の基台（２）上にテーブル（４）が少なくとも一方向にスライド可能に支持され、上記基台（２）には手術室の床面（Ｆ）を転動可能なキャスタと、手術台（１）を上記基台（２）ごと手術室の床面（Ｆ）上で昇降させる伸縮ロッド（６）とが装着され、手術室の床面（Ｆ）には、上記伸縮ロッド（６）の先端が嵌合しうる嵌合穴（７）が形成され、手術台（１）を上記キャスタにより床面（Ｆ）上の所定位置まで移動させたうえで上記伸縮ロッド（６）の先端を上記嵌合穴（７）と嵌合させると、上記テーブル（４）が上記診断機器（８）の一定位置に向かってスライド可能となるようにしたことを特徴とする。
【０００８】
上記手術台位置決め装置において、上記基台（２）に少なくとも二つの直交する側壁（２ａ，２ｂ）が設けられ、手術室の床面（Ｆ）には、上記基台（２）の直交する側壁（２ａ，２ｂ）の角部に当たる角型当て部材（１２）と、側壁（２ａ）の平坦面に当たる平型当て部材（１３）とが着脱自在に固定され、上記基台（２）の側壁（２ａ，２ｂ）を上記角型当て部材（１２）と上記平型当て部材（１３）とに当てたうえで上記伸縮ロッド（６）の先端を上記嵌合穴（７）と嵌合させるようにしたものとすることができる。
【０００９】
また、上記位置決め装置において、上記伸縮ロッド（６）が上記基台（２）に複数基設けられ、上記嵌合穴（７）が各伸縮ロッド（６）に対応して手術室の床面（Ｆ）に形成されたものとすることができ、上記嵌合穴（７）は、手術室の床面（Ｆ）に着脱自在に固定された固定盤（９）に形成されたものとすることができ、上記角型当て部材（１２）又は上記平型当て部材（１３）は、手術室の床面（Ｆ）に着脱自在に固定された固定盤（９）に固着されたものとすることができ、上記角型当て部材（１２）又は上記平型当て部材（１３）が、手術室の床面（Ｆ）に着脱自在に固定された固定部材（１４，２４）に固着されると共に、上記嵌合穴（７）が上記固定部材（１４，２４）に形成されたものとすることができる。
【００１０】
また、上記位置決め装置において、上記テーブル（４）が上記診断機器（８）の検査部（８ａ）又は上記診断機器（８）のテーブルに向かってスライドするものとしてもよい。
【発明の効果】
【００１１】
本発明によれば、手術台（１）の診断機器（８）に対する位置決めを簡易、迅速かつ高精度で行うことができるので、それだけ診断機器（８）での検査に要する手間と時間が低減し、また手術を適正に行うことができ、手術に要する時間もそれだけ短縮される。
【発明を実施するための最良の形態】
【００１２】
以下、図面を参照して発明を実施するための最良の形態について説明する。
【００１３】
＜実施の形態１＞
図１に示すように、この手術台位置決め装置における手術台１は、基台２上にコラム３が設けられ、コラム３上にテーブル４が取り付けられた構成とされる。テーブル４上には、患者Ａが乗せられている。
【００１４】
基台２は略直方体の筐体を有し、筐体の底部の四隅には手術室の床面を転動可能なキャスタ５がそれぞれ取り付けられる。また、筐体の底部の四隅には、キャスタ５に近接して伸縮ロッド６がそれぞれ設けられる。伸縮ロッド６は、油圧、電動モータ等により手術室の床面に対して垂直方向に伸縮動作するようになっている。筐体内には、図示しない油圧装置等が収納される。
【００１５】
基台２上のコラム３内には、テーブル４を矢印ａ方向に昇降させるための図示しない昇降機構が設けられる。また、コラム３とテーブル４との間には、テーブル４を矢印ｂで示す方向に往復スライド運動させるための図示しないスライド機構が設けられる。昇降機構は、例えばピストン・シリンダ装置で構成される。また、スライド機構は、例えばコラム３の上端に取り付けられたレール、ガイド板等にテーブル４のフレームが摺動可能に嵌り込んだ構成とされる。昇降機構、スライド機構は上記基台２内の油圧装置により駆動するようになっている。
【００１６】
なお、必要に応じてテーブル４を矢印ｂに直角な方向に往復スライド運動させるためのスライド機構が設けられる場合もある。
【００１７】
上記伸縮ロッド６は、例えば小型のピストン・シリンダ装置として構成される。図４に示すように、そのシリンダ６ａが基台２の筐体に垂直に固定され、シリンダ６ａからピストンロッド６ｂが下方に突出する。ピストンロッド６ｂの下端には、短い円柱形の嵌合体６ｃと、嵌合体６ｃの下端に固定された緩衝体６ｄとからなる突起が設けられる。上記キャスタ５が手術室の床面Ｆ上を転動することにより手術台１が所定位置まで運ばれ、伸縮ロッド６が伸動作すると、上記突起の緩衝体６ｄが床面Ｆに当接することにより手術台１が基台２やキャスタ５ごと床面Ｆ上に持ち上げられ、これにより手術台１が床面Ｆ上の定位置に固定される。四隅の伸縮ロッド６は同時に伸縮動作させることもできるし、個別に伸縮動作させることも可能である。
【００１８】
図２乃至図４に示すように、手術室の床面Ｆには、上記伸縮ロッド６の先端の突起が嵌り込む嵌合穴７が形成される。嵌合穴７は、各伸縮ロッド６の位置に対応し、かつ診断機器の位置に対応するように複数箇所に設けられる。望ましくは、四箇所であるが、二箇所又は三箇所であってもよい。また、二箇所設ける場合は、基台２の底の上記診断機器に対峙する一辺に沿って設けられる二本の伸縮ロッド６に対応して配置され、あるいは基台２の底の対角線上にある二本の伸縮ロッド６に対応して配置される。
【００１９】
診断機器は、図１に示すＭＲＩ装置８、あるいはその他ＣＴ装置等であり、手術室内又は手術室に隣接した検査室内に配置される。このＭＲＩ装置８に対峙するように手術室の床面Ｆ上に上記嵌合穴７が設けられる。手術台をキャスタ５により床面Ｆ上の所定位置まで移動させたうえで伸縮ロッド６の先端の突起を嵌合穴７と嵌合させると、手術台１のテーブル４が上記ＭＲＩ装置８の一定位置に向かってスライド可能となる。
【００２０】
図１に示すように、この実施の形態１では手術台１のテーブル４がＭＲＩ装置８の検査部８ａに直に侵入するようになっているが、ＭＲＩ装置８の図示しない付属テーブルに対し手術台１のテーブル４をスライドさせ、テーブル同士を接続するようにしてもよい。
【００２１】
上記嵌合穴７は、手術室の床面Ｆ上に直に形成することも可能であるが、図１乃至図４に示すように、望ましくは手術室の床面Ｆに着脱自在に固定された固定盤９に形成される。固定盤９は金属製の板片として嵌合穴７ごとに形成され、床面Ｆに例えばボルト１０により固定される。固定盤９は床面Ｆ上に大きな突起となって突出しないようにできるだけ薄く形成される。
【００２２】
図４に示すように、嵌合穴７は固定盤９を上下に貫通する貫通孔として形成され、その内周面に伸縮ロッド６の嵌合体６ｃの外周面が接触しうるように形成される。これにより、手術台１は診断機器であるＭＲＩ装置８に対し誤差が例えば１ｍｍ以内の精度で位置決め可能となる。嵌合穴７の入口には嵌合体６ｃを受け入れやすくするためすり鉢状の面取り９ａが設けられる。嵌合穴７の底には手術室の床面Ｆが露出し、伸縮ロッド６が伸びた時この床面Ｆに伸縮ロッド６の緩衝体６ｄが接触する。
【００２３】
図２及び図４に示すように、望ましくは、ＭＲＩ装置８側の固定盤９の上面には、見当マーク１１ａ，１１ｂ，１１ｃが刻設、ペイント等により表示される。図１に示すように、手術台１の基台２には少なくとも二つの直交する側壁２ａ，２ｂが設けられ、一方の見当マーク１１ｂ，１１ｃはこの両側壁２ａ，２ｂに対応するように直交線として表示され、他方の見当マーク１１ａは前端の側壁２ａに対応するように直線として表示される。
【００２４】
手術台１の基台２の縁が上記見当マーク１１ａ，１１ｂ，１１ｃに合致するように手術台１を搬送することで、伸縮ロッド６を簡易に嵌合穴７に嵌め込むことができる。
【００２５】
次に、上記構成の手術台位置決め装置の作用について説明する。
【００２６】
図１に示すような手術台１が手術室の床面Ｆ上に静置され、手術台１のテーブル４上に載せた患者Ａに対して例えば脳腫瘍等を摘出する等の所定の手術が行われる。この手術台１は、基台２の伸縮ロッド６が伸動作し、その先端の緩衝体６ｄが床面Ｆに接触し、手術台１が床面Ｆ上に持ち上げられ、キャスタ５が床面Ｆから離れることにより、床面Ｆの所望位置に固定される。
【００２７】
手術中、患部を診断機器であるＭＲＩ装置８により検査する場合は、伸縮ロッド６を縮動作させて基台２のキャスタ５を床面Ｆに接触させ、手術台１を床面Ｆの嵌合穴７の設けられた位置へと搬送する。固定盤９の見当マーク１１ａ，１１ｂ，１１ｃに基台２の縁を合致させるようにして基台２を停止させ、そのうえで伸縮ロッド６を伸動作させる。
【００２８】
伸縮ロッド６の嵌合体６ｃが嵌合穴７内に侵入し、嵌合体７の外周面が嵌合穴７の内周面に接触することで、手術台１の水平方向での位置決めが行われる。また、伸縮ロッド６の緩衝体６ｄが嵌合穴７の底の床面Ｆに当たることで、手術台１の垂直方向での位置決めが行われる。これにより、手術台１のテーブル４はＭＲＩ装置８の検査部８ａに対し一定の位置関係に配置され、固定されることになる。
【００２９】
手術台１のスライド機構の駆動により、テーブル４は図１中二点鎖線で示すようにＭＲＩ装置８の検査部８ａへと進行し、テーブル４上の患者Ａの患部に対して検査が行われる。
【００３０】
検査後、テーブル４が基台２上に復帰すると、術者は再び手術を開始するが、その場合ＭＲＩ装置８により確認された患部の位置と、基台２上にテーブル４ごと復帰した後の患部の位置とが矢印ｂで示す少なくとも上記一方向の軸上では正確に合致する。したがって、腫瘍等の除去を正確に行うことができる。
【００３１】
なお、手術開始当初から、手術台１を診断機器であるＭＲＩ装置８に対して定位置に固定しておき、手術中直ちにテーブル４をＭＲＩ装置８へとスライドさせるようにしてもよい。
【００３２】
＜実施の形態２＞
図５に示すように、この実施の形態２の手術台位置決め装置では、手術台の基台２に少なくとも二つの直交する側壁２ａ，２ｂが設けられ、手術室の床面Ｆには、基台２の直交する側壁２ａ，２ｂの角部に当たる角型当て部材１２と、側壁２ａの平坦面に当たる平型当て部材１３とが着脱自在に固定され、基台２の側壁２ａ，２ｂを角型当て部材１２と平型当て部材１３とに当てたうえで、伸縮ロッド６の先端を嵌合穴７（図４等参照）と嵌合させるようになっている。
【００３３】
図５及び図６（Ａ）（Ｂ）に示すように、角型当て部材１２は、基台２の直交する側壁２ａ，２ｂにそれぞれ当たる板片１２ａ，１２ｂを有し、これら板片１２ａ，１２ｂは手術室の床面Ｆに着脱自在に固定された固定部材１４に連結固定される。角型当て部材１２の床面Ｆ上での配置は実施の形態１の場合と同様である。
【００３４】
図６（Ｂ）に示すように、手術室の床面Ｆには充填材等からなるブロック体１５が埋設され、このブロック体１５に金属等でできた硬質部材１６が埋設され、この硬質部材１６に角柱状の挿入穴１６ａが垂直に形成される。上記固定部材１４には上記挿入穴１６ａに挿入される角柱部１４ａが一体的に設けられ、この角柱部１４ａが床面Ｆの挿入孔１６ａに挿入されることで、角型当て部材１２が床面Ｆの定位置に固定される。また、固定部材１４自体を床面Ｆ下に埋没させるための埋没穴１６ｂも硬質部材１６に挿入穴１６ａを囲むように形成される。
【００３５】
角型当て部材１２は、固定部材１４上に水平に当接可能なスライド調整板１７を備える。このスライド調整板１７には、基台２の前端の側壁２ａに平行に伸びる長孔１８が複数個形成され、この長孔１８を固定部材１４と螺合する固定ネジ１９が貫通する。また、長孔１８の伸び方向と直交する方向に伸びるブラケット２０が固定部材１４上に固定され、長孔１８の伸び方向に平行に伸びてスライド調整板１７に当接する調整ネジ棒２１がこのブラケット２０に螺合する。固定ネジ１９を緩め、調整ネジ棒２１を螺進退させ、スライド調整板１７を固定部材１４上でスライドさせ、固定ネジ１９を再び締めることにより、角型当て部材１２の床面Ｆ上での位置を微調整することができる。
【００３６】
その他、符号２２は固定部材１４と埋没穴１６ｂとの間の隙間を塞ぐためのシール部材であるＯリングを示し、符号２３は固定部材１４を埋没穴１６ｂや挿入穴１６ａに対して出し入れする際に指等を掛けるための取っ手を示す。
【００３７】
図５及び図７（Ａ）（Ｂ）に示すように、平型当て部材１３は、基台２の診断機器側前端に位置する側壁２ａに当たる板片１３ａを有し、この板片１３ａが手術室の床面Ｆに着脱自在に固定された固定部材２４に固着される。平型当て部材１３の床面Ｆ上での配置は実施の形態１の場合と同様である。
【００３８】
図７（Ｂ）に示すように、手術室の床には上記角型当て部材１２の場合と同様にして埋没穴１６ｂ及び挿入穴１６ａが形成される。上記角型当て部材１２の場合と同様な構成部分については同一符号を用いて示す。
【００３９】
上記固定部材２４には上記挿入穴１６ａに挿入される角柱部２４ａが一体的に設けられ、この角柱部２４ａが床面Ｆの挿入孔１６ａに挿入されることで、平型当て部材１３が床面Ｆの定位置に固定される。また、固定部材２４自体も埋没穴１６ｂに挿入され、略床面Ｆ下に埋没する。
【００４０】
平型当て部材１３は、固定部材２４上に水平に当接可能なスライド調整板２５を備える。このスライド調整板２５には、基台２の前端の側壁２ａに直交する方向に伸びる長孔２６が複数個形成され、この長孔２６を固定部材２４と螺合する固定ネジ２７が貫通する。また、長孔２６の伸び方向と直交する方向に伸びるブラケット２８が固定部材２４上に固定され、長孔２６の伸び方向に平行に伸びてスライド調整板２５に当接する調整ネジ棒２９がこのブラケット２８に螺合する。固定ネジ２７を緩め、調整ネジ棒２９を螺進退させ、スライド調整板２５を固定部材２４上でスライドさせ、固定ネジ２７を再び締めることにより、平型当て部材１３の床面Ｆ上での位置を微調整することができる。
【００４１】
また、図示しないが、伸縮ロッド６の先端の突起が入り込む嵌合穴７が床面Ｆ上に設けられる。この嵌合穴７は床面Ｆに直に設けてもよいし、実施の形態１と同様な固定盤９を床面Ｆに固定し、この固定盤９に形成するようにしてもよい。
【００４２】
上記角型当て部材１２及び平型当て部材１３は手術後床面Ｆから抜き取られるが、その跡の挿入穴１６ａ及び埋没穴１６ｂを埋めるために、図８（Ａ）（Ｂ）に示すような遮蔽部材３０が設けられる。遮蔽部材３０は、上記固定部材１４，２４と略同様な形状であり、角柱部１４ａ，２４ａと略同様な形状の角柱部３０ａを備える。遮蔽部材３０の上部の穴内には、遮蔽部材３０を床面Ｆに着脱する際に指を掛けるための取っ手３１が出入可能に収納される。
【００４３】
次に、上記構成の手術台位置決め装置の作用について説明する。
【００４４】
図５に示すような手術台１が手術室の床面Ｆ上に静置され、手術台１のテーブル４上に載せた患者Ａに対して例えば脳腫瘍等を摘出する等の所定の手術が行われる。この手術台１は、基台２の伸縮ロッド６が伸動作し、その先端の緩衝体６ｄ（図４参照）が床面Ｆに接触し、手術台１が床面Ｆ上に持ち上げられ、キャスタ５が床面Ｆから離れることにより、床面Ｆの所望位置に固定される。
【００４５】
手術中、患部を診断機器であるＭＲＩ装置８により検査する場合は、各遮蔽部材３０を床面Ｆから抜き取り、代わりに角型当て部材１２と平型当て部材１３を床面Ｆに挿入し固定する。
【００４６】
また、必要に応じて固定ネジ１９，２７、調整ネジ棒２１，２９を操作して角型当て部材１２と平型当て部材１３の床面Ｆ上での位置を微調整する。
【００４７】
伸縮ロッド６を縮動作させて基台２のキャスタ５を床面Ｆに接触させ、手術台１を床面Ｆの角型当て部材１２、平型当て部材１３及び嵌合穴７の設けられた位置へと搬送する。そして、基台２の直交する側壁２ａ，２ｂの角部を角型当て部材１２に当て、平型当て部材１３を側壁２ａの平坦面に当てることにより基台２を停止させる。
【００４８】
そこで、伸縮ロッド６を伸動作させる。伸縮ロッド６の嵌合体６ｃが嵌合穴７内に侵入し、嵌合体７の外周面が嵌合穴７の内周面に接触することで、手術台１の水平方向での位置決めが行われる。また、伸縮ロッド６の緩衝体６ｄが嵌合穴７の底の床面Ｆに当たることで、手術台１の垂直方向での位置決めが行われる。これにより、手術台１のテーブル４はＭＲＩ装置８の検査部８ａに対し一定の位置関係に配置され、固定されることになる。
【００４９】
手術台１のスライド機構の駆動により、テーブル４は図１中二点鎖線で示すようにＭＲＩ装置８の検査部８ａへと進行し、テーブル４上の患者Ａの患部に対して検査が行われる。
【００５０】
検査後、テーブル４が基台２上に復帰すると、術者は再び手術を開始するが、その場合ＭＲＩ装置８により確認された患部の位置と、基台２上にテーブル４ごと復帰した後の患部の位置とが矢印ｂで示す少なくとも上記一方向の軸上では正確に合致する。したがって、腫瘍等の除去を正確に行うことができる。
【００５１】
なお、手術開始当初から、手術台１を診断機器であるＭＲＩ装置８に対して定位置に固定しておき、手術中直ちにテーブル４をＭＲＩ装置８へとスライドさせるようにしてもよい。
【００５２】
なお、この実施の形態２において実施の形態１に示す部分と同じ部分には同一符号を用いて示すこととし、重複した説明を省略する。
【００５３】
本発明は以上のように構成されるが、上記実施の形態１，２に限定されるものではなく、その趣旨の範囲内において種々変更可能である。たとえば、上記実施の形態１，２では複数個の嵌合穴、平型当て部材、角型当て部材ごとに固定盤、固定部材を設けたが、嵌合穴、平型当て部材、角型当て部材を複数組ずつ同じ部材に設けることも可能である。また、嵌合穴を角型当て部材又は平型当て部材が固定される固定部材に形成することも可能である。また、実施の形態１、２において診断機器はそれぞれ縦型ドーナツ形状、ハンバーガー形状であるが、それぞれハンバーガー形状、縦型ドーナツ形状に変更することも可能であり、あるいはそれらとはまったく異なる形状のものを用いることも可能である。
【図面の簡単な説明】
【００５４】
【図１】本発明の実施の形態１に係る手術台位置決め装置の概略を示す斜視図である。
【図２】手術台位置決め装置の床面上での配置状態を示す平面図である。
【図３】図２中、ＩＩＩ−ＩＩＩ線矢視断面図である。
【図４】図３中、ＩＶ部の部分拡大図である。
【図５】本発明の実施の形態２に係る手術台位置決め装置の概略を示す斜視図である。
【図６】手術台位置決め装置の角型当て部材を示し、（Ａ）はその平面図、（Ｂ）は垂直断面図である。
【図７】手術台位置決め装置の平型当て部材を示し、（Ａ）はその平面図、（Ｂ）は垂直断面図である。
【図８】上記角型当て部材又は平型当て部材を床面から除去した跡に埋め込む遮蔽部材を示し、（Ａ）はその平面図、（Ｂ）は垂直断面図である。
【符号の説明】
【００５５】
Ｆ…手術室の床面
１…手術台
２…基台
２ａ，２ｂ…側壁
４…テーブル
６…伸縮ロッド
７…嵌合穴
８…診断機器
８ａ…診断機器の検査部
９…固定盤
１２…角型当て部材
１３…平型当て部材
１４，２４…固定部材
【図１】
2007301064.tif 000003
【図２】
2007301064.tif 000004
【図３】
2007301064.tif 000005
【図４】
2007301064.tif 000006
【図５】
2007301064.tif 000007
【図６】
2007301064.tif 000008
【図７】
2007301064.tif 000009
【図８】
2007301064.tif 000010